(57)【特許請求の範囲】
【請求項１】
トナー像を保持して移動する像保持部材からトナー像を転写させた後の像保持部材の表面に残留する残留物を除去するクリーニング装置と、このクリーニング装置よりも像保持部材の移動方向下流側の位置で上記の像保持部材の表面に潤滑剤を供給する潤滑剤供給手段と、像保持部材の表面に供給された上記の潤滑剤を像保持部材の表面に塗布させる均し部材とが設けられた画像形成装置において、上記の潤滑剤供給手段に、固形潤滑剤から潤滑剤を掻き取って像保持部材の表面に供給する潤滑剤供給部材が設けられ、この潤滑剤供給部材と上記の均し部材との間に、像保持部材の表面を除電させる除電装置が設けられてなることを特徴とする画像形成装置。
【請求項２】
請求項１に記載の画像形成装置において、上記の潤滑剤供給部材を回転するブラシ部材で構成し、このブラシ部材に、繊維太さが１０〜２０μｍの範囲、繊維密度が３．０×１０8〜１．５×１０9本／ｍ2の範囲の導電性繊維を用いたことを特徴とする画像形成装置。
【請求項３】
請求項１又は請求項２に記載の画像形成装置において、上記の潤滑剤がステアリン酸亜鉛であることを特徴とする画像形成装置。
【請求項４】
請求項１〜請求項３の何れか１項に記載の画像形成装置において、上記の像保持部材の表面に凹凸を有するオーバーコート層が設けられていることを特徴とする画像形成装置。
【請求項５】
請求項１〜請求項４の何れか１項に記載の画像形成装置において、上記の均し部材がアースされていることを特徴とする画像形成装置。
【発明の詳細な説明】
【技術分野】
【０００１】
本発明は、複写機，プリンタ，ファクシミリ、これらの複合機などの画像形成装置に係り、トナー像を保持して移動する像保持部材からトナー像を転写させた後、この像保持部材の表面に残留する残留物をクリーニング装置により除去し、その後、この像保持部材の表面に潤滑剤供給手段により潤滑剤を供給し、このように潤滑剤が供給された像保持部材の表面に均し部材を圧接させて、潤滑剤を像保持部材の表面に塗布させるようにした画像形成装置において、特に、上記の潤滑剤供給手段によって潤滑剤が像保持部材の表面に適切に供給されると共に、このように供給された潤滑剤が、上記の均し部材により像保持部材の表面に適切に均一な膜状に塗布され、長期にわたって安定した画像形成が行えるようにした点に特徴を有するものである。
【背景技術】
【０００２】
複写機，プリンタ，ファクシミリ、これらの複合機などの画像形成装置においては、トナー像を保持して移動する像保持部材、例えば、トナー像が形成される感光体や、感光体に形成されたトナー像が転写される中間転写体において、このような像保持部材からトナー像を記録媒体や中間転写体等の被転写部材に転写させた後、この像保持部材の表面にクリーニングブレード等のクリーニング部材を圧接させて、この像保持部材の表面に残留しているトナー等の残留物を除去することが行われている。
【０００３】
ここで、上記のようにトナー像を転写させた後における像保持部材の表面にクリーニング部材を圧接させて、この像保持部材の表面に残留しているトナー等の残留物を除去する作業を長く続けると、クリーニング部材が摩耗してクリーニング性能が低下したり、また像保持部材の表面が摩耗して、像保持部材の寿命が短くなったりする等の問題があった。
【０００４】
このため、従来においては、トナー像を記録媒体等に転写させた像保持部材の表面に潤滑剤供給手段から金属石鹸等の潤滑剤を供給し、この潤滑剤により像保持部材の表面とクリーニング部材との間の摩擦抵抗を低減させると共に、像保持部材の表面の離型性を高め、像保持部材の表面に形成されたトナー像を上記の被転写部材に適切に転写させるようにすることが行われている。
【０００５】
そして、従来においては、上記のようにトナー像を被転写部材に転写させた像保持部材の表面に潤滑剤供給手段から潤滑剤を供給するにあたり、特許文献１に示されるように、固形潤滑剤からブラシロールによって潤滑剤を掻き取り、トナー像を転写させた後の像保持部材の表面にこのブラシロールを接触させて、掻き取った潤滑剤を像保持部材の表面に供給した後、像保持部材の表面に供給された潤滑剤をクリーニング部材により押圧させて、像保持部材の表面に潤滑剤を膜状に塗布するようにしたものが提案されている。
【０００６】
しかし、このようにクリーニング部材によって像保持部材の表面に残留しているトナー等の残留物を除去する前に、像保持部材の表面にブラシロールを接触させて潤滑剤を付与するようにした場合、このブラシロールに像保持部材の表面に残留しているトナー等の残留物が付着して次第に蓄積し、これによりブラシロールにおける固形潤滑剤から潤滑剤を掻き取る能力が次第に低下し、像保持部材の表面に潤滑剤を適切に付与することができなくなるという問題があった。
【０００７】
そして、従来においては、上記のように像保持部材の表面に残留しているトナー等の残留物がブラシロールに付着するのを抑制するため、特許文献２〜４示されるように、像保持部材の表面に残留しているトナー等の残留物をクリーニング部材によって除去した後、上記のブラシロールを接触させて像保持部材の表面に潤滑剤を供給し、その後、板状の弾性体からなる均し部材の端部を像保持部材の表面に圧接させ、像保持部材の表面に供給された潤滑剤をこの均し部材により押圧して、像保持部材の表面に潤滑剤を膜状に塗布させるようにしたものも提案されている。
【０００８】
ここで、このように均し部材の端部を像保持部材の表面に圧接させて、潤滑剤を像保持部材の表面に塗布させる場合において、像保持部材の表面に対する均し部材の端部の圧接力が弱いと、像保持部材の表面に供給された潤滑剤が十分に被膜化されず、特に粒径の大きな潤滑剤の場合には、潤滑剤が粒子の状態で均し部材の端部を通過するようになる。
【０００９】
そして、このように潤滑剤が粒子の状態で均し部材の端部を通過すると、この潤滑剤が像保持部材の表面に接触する帯電ローラ等に付着して、像保持部材の表面を適切に帯電させることができなくなったり、この潤滑剤が現像装置内に混入してトナーの帯電不良が生じたりし、形成される画像に様々な不良が発生するという問題がある。
【００１０】
一方、像保持部材の表面に供給された潤滑剤が十分に被膜化されるように、像保持部材の表面に対する均し部材の端部の圧接力を強くした場合、像保持部材を駆動させるトルクが増加すると共に、均し部材の端部や像保持部材の表面の摩耗が大きくなり、また均し部材が次第に変形して永久ひずみも大きくなって、安定した画像形成が行えなくなる等の問題があった。
【特許文献１】特開２００３−５７９９６号公報
【特許文献２】特開２００６−２５１７５１号公報
【特許文献３】特開２００６−２５９４５０号公報
【特許文献４】特開２００７−７９４６８号公報
【発明の開示】
【発明が解決しようとする課題】
【００１１】
本発明は、トナー像を保持して移動する像保持部材からトナー像を転写させた後、この像保持部材の表面に残留する残留物をクリーニング装置により除去し、その後、この像保持部材の表面に潤滑剤供給手段により潤滑剤を供給し、このように潤滑剤が供給された像保持部材の表面に均し部材を圧接させて、潤滑剤を像保持部材の表面に塗布させるようにした画像形成装置における上記のような問題を解決することを課題とするものである。
【００１２】
すなわち、本発明においては、上記のような画像形成装置において、上記の潤滑剤供給手段によって潤滑剤が像保持部材の表面に適切に供給されると共に、このように供給された潤滑剤が、上記の均し部材により像保持部材の表面に適切に均一な膜状に塗布され、長期にわたって安定した画像形成が行えるようにすることを課題とするものである。
【課題を解決するための手段】
【００１３】
本発明においては、上記のような課題を解決するため、トナー像を保持して移動する像保持部材からトナー像を転写させた後の像保持部材の表面に残留する残留物を除去するクリーニング装置と、このクリーニング装置よりも像保持部材の移動方向下流側の位置で上記の像保持部材の表面に潤滑剤を供給する潤滑剤供給手段と、像保持部材の表面に供給された上記の潤滑剤を像保持部材の表面に塗布させる均し部材とが設けられた画像形成装置において、上記の潤滑剤供給手段に、固形潤滑剤から潤滑剤を掻き取って像保持部材の表面に供給する潤滑剤供給部材を設け、この潤滑剤供給部材と上記の均し部材との間に、像保持部材の表面を除電させる除電装置を設けるようにした。
【００１４】
ここで、固形潤滑剤から潤滑剤を掻き取って像保持部材の表面に供給する潤滑剤供給部材としては、回転するブラシ部材や発泡ローラ等を用いることができるが、上記の均し部材によって潤滑剤が像保持部材の表面に適切に膜状に塗布されるようにするためには、固形潤滑剤から掻き取って像保持部材の表面に供給する潤滑剤の粒径を小さくすることが好ましい。このため、上記の潤滑剤供給部材に回転するブラシ部材を用いると共に、このブラシ部材に、繊維太さが１０〜２０μｍの範囲、繊維密度が３．０×１０8〜１．５×１０9本／ｍ2の範囲の導電性繊維を用いることが好ましい。
【００１５】
また、上記の像保持部材の表面に供給する潤滑剤としては、例えば、ステアリン酸亜鉛、ステアリン酸マグネシウム、ステアリン酸リチウム等の脂肪酸金属塩を用いることができ、特に、成膜性に優れると共に摩擦抵抗が低いステアリン酸亜鉛を用いることが好ましい。
【００１６】
また、本発明においては、上記の潤滑剤供給部材から像保持部材の表面に潤滑剤が適切に供給されるようにするため、上記の像保持部材の表面に、凹凸を有するオーバーコート層を設けるようにすることが好ましく、このように凹凸を有するオーバーコート層を設けるにあたっては、オーバーコート層にシリカ等の微粒子を添加させるようにすることができる。
【００１７】
また、本発明の画像形成装置においては、上記の均し部材をアースさせて、像保持部材との接触によって均し部材が摩擦帯電されるのを抑制することが好ましい。
【発明の効果】
【００１８】
本発明の画像形成装置においては、像保持部材の表面に残留する残留物を除去するクリーニング装置よりも像保持部材の移動方向下流側の位置で、上記の潤滑剤供給手段によって像保持部材の表面に潤滑剤を供給するようにしたため、像保持部材の表面に残留しているトナー等の残留物がクリーニング装置により除去されて潤滑剤供給手段に付着するのが防止され、この潤滑剤供給手段によって像保持部材の表面に潤滑剤が適切に供給されるようになる。
【００１９】
また、本発明の画像形成装置において、固形潤滑剤から潤滑剤供給部材により潤滑剤を掻き取って像保持部材の表面に供給させると、固形潤滑剤と潤滑剤供給部材との摩擦により、潤滑剤供給部材と掻き取られた潤滑剤とが摩擦帯電し、このように帯電された潤滑剤が除電される前の像保持部材の表面に適切に供給させるようになる。
【００２０】
そして、本発明の画像形成装置においては、上記の潤滑剤供給部材と均し部材との間に像保持部材の表面を除電させる除電装置を設けたため、上記のように潤滑剤が供給された像保持部材がこの除電装置によって除電されるようになり、像保持部材の表面に供給された潤滑剤を均し部材によって像保持部材の表面に塗布させる際に、像保持部材と均し部材とが摩擦帯電されたとしても、像保持部材と均し部材との電位差が大きくなるのが抑制される。
【００２１】
この結果、上記のように帯電された潤滑剤が均し部材に導かれた際に、像保持部材と均し部材との間の電界によって、潤滑剤が像保持部材から飛散したり、逆に潤滑剤が像保持部材に強く保持され、過剰の潤滑剤が均し部材を通過して像保持部材に潤滑剤の塗布ムラが生じたりするのが防止され、潤滑剤が上記の均し部材により像保持部材の表面に適切に均一な膜状に塗布されて、長期にわたって安定した画像形成が行えるようになる。
【００２２】
また、本発明の画像形成装置において、固形潤滑剤から潤滑剤を掻き取って像保持部材の表面に供給する潤滑剤供給部材に、回転するブラシ部材を用いると共に、このブラシ部材に、繊維太さが１０〜２０μｍの範囲、繊維密度が３．０×１０8〜１．５×１０9本／ｍ2の範囲の導電性繊維を用いると、固形潤滑剤から掻き取られて像保持部材の表面に供給される潤滑剤の粒径が小さくなり、像保持部材の表面に対する均し部材の圧接力が弱くしても、この潤滑剤が像保持部材の表面に適切に膜状に塗布されるようになる。
【００２３】
また、このように均し部材の圧接力を弱くすることができるため、像保持部材を駆動させるトルクが増加したり、均し部材の端部や像保持部材の表面の摩耗が大きくなったり、均し部材が次第に変形して永久ひずみが発生したりするのも防止され、長期にわたって安定した画像形成が行えるようになる。
【００２４】
また、本発明の画像形成装置において、上記の均し部材をアースさせると、像保持部材との接触によって均し部材が摩擦帯電されるのが抑制されて、潤滑剤が像保持部材から飛散したり、過剰の潤滑剤が均し部材を通過して像保持部材に潤滑剤の塗布ムラが生じたりするのが一層防止されるようになる。
【発明を実施するための最良の形態】
【００２５】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２６】
この実施形態に係る画像形成装置においては、図１に示すように、黄色，マゼンタ色，シアン色，黒色の異なった色彩のトナーを収容させた４つの現像装置１１に対応させて、像保持部材となる４つの感光体ドラム１０を設けている。
【００２７】
ここで、この画像形成装置において、フルカラーの画像形成を行うにあたっては、上記の各感光体ドラム１０を回転させて、各感光体ドラム１０の表面をそれぞれ帯電ローラからなる帯電装置１２によって帯電させ、このように帯電された各感光体ドラム１０に対して、それぞれ露光装置１３により画像データに従った露光を行って、各感光体ドラム１０の表面にそれぞれ静電潜像を形成する。
【００２８】
そして、このように静電潜像が形成された各感光体ドラム１０に対して対応する各現像装置１１からそれぞれ所定の色彩のトナーを各感光体ドラム１０の静電潜像に供給して現像を行い、各感光体ドラム１０の表面にそれぞれの色彩のトナー像を形成する。
【００２９】
次いで、上記の各感光体ドラム１０に形成されたそれぞれの色彩のトナー像を、ローラ１４に架け渡されて駆動される無端ベルト状になった中間転写体１５にそれぞれローラ状になった一次転写装置１６により順々に一次転写させて、この中間転写体１５の上にフルカラーのトナー像を形成する。
【００３０】
そして、転写後の各感光体ドラム１０の表面に残留しているトナー等の残留物をそれぞれ第１クリーニング装置２０に導き、この第１クリーニング装置２０に設けられたクリーニングブレート２１を感光体ドラム１０の表面に圧接させて、各感光体ドラム１０の表面からそれぞれトナー等の残留物を除去させる。
【００３１】
次いで、このようにトナー等の残留物が除去された各感光体ドラム１０の表面にそれぞれ潤滑剤供給手段３０により潤滑剤を供給し、このように潤滑剤が供給された各感光体ドラム１０の表面に残留している電荷をそれぞれ除電装置４０により除電させた後、各感光体ドラム１０の表面にそれぞれ均し部材５０の端部を圧接させて、各感光体ドラム１０の表面に供給された潤滑剤を各感光体ドラム１０の表面に塗布させる。
【００３２】
一方、上記のように中間転写体１５の上に形成されたフルカラーのトナー像を、この中間転写体１５によりローラ状になった二次転写装置１７と対向する位置に導くと共に、この画像形成装置の下部に収容されたシート状の記録媒体Ｓを、送りローラ１８により中間転写体１５と二次転写装置１７との間に導き、上記の二次転写装置１７により中間転写体１５の上に形成されたフルカラーのトナー像をこの記録媒体Ｓに二次転写させる。
【００３３】
その後は、このようにフルカラーのトナー像が転写された記録媒体Ｓを定着装置１９に導いて、転写されたフルカラーのトナー像を記録媒体Ｓに定着させた後、このようにフルカラーのトナー像が定着された記録媒体Ｓを排紙させる。
【００３４】
また、記録媒体Ｓに転写されずに上記の中間転写体１５に残ったトナー等の残留物を第２クリーニング装置６０に導き、この第２クリーニング装置６０に設けられたポリウレタンゴム等の弾性材料で板状に形成されたクリーニングブレード６１を中間転写体１５の表面に圧接させて、中間転写体１５に残ったトナー等の残留物を中間転写体１５から除去させる。
【００３５】
ここで、前記のように第１クリーニング装置２０によってトナー等の残留物を除去した感光体ドラム１０の表面に、潤滑剤供給手段３０により潤滑剤を供給するにあたり、この実施形態においては、図２に示すように、ローラ３１ａの外周に、前記のように繊維太さが１０〜２０μｍの範囲で、繊維密度が３．０×１０8〜１．５×１０9本／ｍ2の範囲になった導電性繊維３１ｂで構成されたブラシ部材３１を用い、このブラシ部材３１を感光体ドラム１０の表面に接触するようにして回転させると共に、このブラシ部材３１に固形潤滑剤３２をバネからなる押圧手段３３により押圧させ、このブラシ部材３１に設けられた導電性繊維３１ｂよって固形潤滑剤３２から潤滑剤を掻き取るようにしている。
【００３６】
このように繊維太さが細くて、繊維密度が高い導電性繊維３１ｂを用いたブラシ部材３１によって固形潤滑剤３２から潤滑剤を掻き取るようにすると、固形潤滑剤３２から掻き取られる潤滑剤の粒径が小さくなる。
【００３７】
また、上記の押圧手段３３により、ブラシ部材３１に固形潤滑剤３２を押圧させるにあたっては、ブラシ部材３１によって固形潤滑剤３２から掻き取られる潤滑剤がさらに一定した粒径の小さいものになるように、ブラシ部材３１に対する固形潤滑剤３２の押圧力を２〜６Ｎ／ｍの範囲にすることが好ましい。
【００３８】
そして、上記のようにブラシ部材３１に設けられた導電性繊維３１ｂよって固形潤滑剤３２から潤滑剤を掻き取ると、掻き取られた潤滑剤が摩擦帯電され、このように摩擦帯電された粒径の小さい潤滑剤が、電荷が残留している感光体ドラム１０の表面に電気的に吸着されて、ブラシ部材３１から感光体ドラム１０の表面に適切に供給されるようになる。
【００３９】
この場合、ブラシ部材３１の導電性繊維３１ｂによって掻き取られた潤滑剤が、電荷が残留している感光体ドラム１０と逆極性に摩擦帯電されるようにするため、潤滑剤とブラシ部材３１の導電性繊維３１ｂとの摩擦帯電系列を考慮して、ブラシ部材３１に用いる導電性繊維３１ｂの種類を適切に選択することが好ましい。
【００４０】
ここで、上記のブラシ部材３１における導電性繊維３１ｂとしては、例えば、導電性ナイロン繊維，導電性レーヨン繊維，導電性アクリル繊維，導電性ポリエステル繊維，導電性ポリフッ化エチレン繊維等の各種の導電性合成繊維等を用いることができ、一般に、この導電性繊維３１ｂの抵抗値が１０6〜１０13Ωの範囲のものを用いるようにする。なお、上記の潤滑剤にステアリン酸亜鉛を用いた場合において、ブラシ部材３１における導電性繊維３１ｂに導電性ナイロン繊維，導電性レーヨン繊維，導電性アクリル繊維を用いると、潤滑剤が（−）に導電性繊維３１ｂが（＋）に帯電される一方、導電性ポリエステル繊維，導電性ポリフッ化エチレン繊維を用いると、潤滑剤が（＋）に導電性繊維３１ｂが（−）に帯電されるようになる。
【００４１】
また、上記のように摩擦帯電された粒径の小さい潤滑剤が、ブラシ部材３１から感光体ドラム１０の表面に適切に供給されるようにするため、上記のブラシ部材３１に対して、バイアス電源（図示せず）から摩擦帯電された潤滑剤と同極性、感光体ドラム１０の帯電極性とは逆極性のバイアス電圧を印加させるようにすることもできる。
【００４２】
そして、上記のように潤滑剤を感光体ドラム１０の表面に供給した後、この感光体ドラム１０の表面に残留している電荷をそれぞれ除電装置４０により除電させ、その後、感光体ドラム１０の表面に供給された潤滑剤を均し部材５０に導くくようにしている。
【００４３】
また、均し部材５０としては、ポリウレタンゴム等の弾性材料で板状に形成されたものを保持部材５１に保持させ、この均し部材５０の端部を感光体ドラム１０の移動方向と同方向に向けて感光体ドラム１０の表面に圧接させるようにすると共に、上記の保持部材５１を通して均し部材５０をアースさせている。
【００４４】
そして、上記のように除電された感光体ドラム１０の表面に供給された潤滑剤を上記の均し部材５０によって感光体ドラム１０の表面に膜状に塗布させるようすると、感光体ドラム１０と均し部材５０とが摩擦帯電されたとしても、感光体ドラム１０が除電されていると共に、均し部材５０が保持部材５１を通してアースされているため、感光体ドラム１０と均し部材５０との電位差が大きくなるのが抑制される。特に、感光体ドラム１０の表面に潤滑剤が十分に保持されるように、感光体ドラム１０として、その表面にシリカ等の微粒子が添加されて凹凸を有するオーバーコート層が形成されたものを用いた場合においても、感光体ドラム１０と均し部材５０との電位差が大きくなるのが抑制される。
【００４５】
この結果、帯電された潤滑剤が感光体ドラム１０と均し部材５０との間の電界によって感光体ドラム１０から飛散したり、逆に感光体ドラム１０の表面に強く保持されて、過剰の潤滑剤が均し部材５０を通過して潤滑剤の塗布ムラが生じたりするのが防止され、潤滑剤が感光体ドラム１０の表面に適切に均一な膜状に塗布され、長期にわたって安定した画像形成が行えるようになる。
【００４６】
また、この実施形態においては、前記のように感光体ドラム１０の表面に粒径の小さい潤滑剤を供給するようにしているため、上記のように均し部材５０の端部を感光体ドラム１０の表面に圧接させて、潤滑剤を感光体ドラム１０の表面に塗布させる場合、感光体ドラム１０の表面に対する均し部材５０の圧接力を強くしなくても、粒径の小さい潤滑剤が十分に被膜化されて感光体ドラム１０の表面に塗布されるようになる。
【００４７】
このため、感光体ドラム１０を駆動させるのに大きなトルクが必要になったり、均し部材５０の端部や感光体ドラム１０の表面の摩耗が大きくなったり、均し部材５０に永久ひずみが発生したりするのが防止され、長期にわたって安定した画像形成が行えるようになる。
【００４８】
次に、市販の複写機（コニカミノルタ社製：Ｂｉｚｈｕｂ  Ｃ４５０）における画像形成速度をＡ４用紙横送り５５枚／分に改造すると共に、図３に示すように、転写後の各感光体ドラム１０の表面に残留しているトナー等の残留物を除去する第１クリーニング装置２０よりも感光体ドラム１０の移動方向下流側に、潤滑剤供給手段３０を設けると共に、この潤滑剤供給手段３０よりも感光体ドラム１０の移動方向下流側に均し部材５０を設け、さらに上記の除電装置４０を設ける位置を、第１クリーニング装置２０よりも感光体ドラム１０の移動方向上流側のＡ位置と、第１クリーニング装置２０と潤滑剤供給手段３０との間のＢ位置と、潤滑剤供給手段３０と均し部材５０との間のＣ位置と、均し部材５０と帯電装置１２との間のＤ位置とに変更できるようにした。
【００４９】
そして、除電装置を設ける位置を、下記の表１に示すように、実施例１〜９では、上記の実施形態と同様に、潤滑剤供給手段と均し部材との間のＣ位置に、比較例１では上記のＡ位置に、比較例２では上記のＢ位置に、比較例３，４では上記のＤ位置にした。
【００５０】
また、上記の感光体ドラムとしては、その表面に設けるオーバーコート層にシリカを含有させて凹凸を形成したものと、シリカを含有させていないものとを用い、下記の表１に示すように、実施例８，９及び比較例４においては、シリカが含有されて凹凸が形成された感光体ドラムを、それ以外は、シリカによる凹凸が形成されていない感光体ドラムを用いた。
【００５１】
また、上記の潤滑剤供給手段においては、固形潤滑剤として、ステアリン酸亜鉛からなる潤滑剤を所定の形状に成形したもの用いた。
【００５２】
また、上記のブラシ部材においては、導電性繊維として、ヤング率が１２００〜１５００Ｎ／ｍｍ2の範囲であり、下記の表１に示すように、繊維太さが１０μｍ，１５μｍ，２０μｍ，２５μｍ，３０μｍ、繊維密度が１．５×１０8本／ｍ2，３．０×１０8本／ｍ2，１．０×１０9本／ｍ2，１．５×１０9本／ｍ2になった各導電性ナイロン繊維を用い、これらの導電性ナイロン繊維をそれぞれ厚みが０．５ｍｍの基布に繊維長が２．５ｍｍになるように設け、これを直径が６ｍｍの金属ローラの外周に取り付けたものを用いるようにした。
【００５３】
そして、上記の各ブラシ部材に対して、押圧手段により上記の固形潤滑剤を４Ｎ／ｍの押圧力で押圧させるようにした。
【００５４】
また、上記の均し部材としては、硬度（ＪＩＳ−Ａ）が６７度、反発弾性値が５０％のポリウレタンゴム製で厚みが２ｍｍの板状になったものを用い、この均し部材の端部を上記の保持部材から８ｍｍ突出させ、感光体ドラムの移動方向と同方向に向け、感光体ドラムの表面に対して当接角１０°、当接力２０Ｎ／ｍで当接させるようにした。
【００５５】
そして、下記の表１に示すように、実施例９では、上記の均し部材をアースさせる一方、その他は、均し部材をアースさせないようにした。
【００５６】
そして、下記の表１に示した条件に設定した実施例１〜９及び比較例１〜４の各画像形成装置を使用し、それぞれ耐刷試験を行い、形成された画像における中抜けと縦スジ状の濃度ムラとの評価を行い、これらの結果を下記の表１に示した。
【００５７】
ここで、中抜けについては、温度３０℃、湿度８５％ＲＨの環境条件で、面積率がそれぞれ５％になった各色彩の文字画像（合計面積率２０％）を４枚間欠で１０万枚プリントした後、シアンとマゼンタのトナーを用いて３ｄｏｔ（幅が約７０μｍ）のブルーのライン画像をプリントし、ライン画像における中抜けを調べた。
【００５８】
また、縦スジ状の濃度ムラについては、温度１０℃、湿度１５％ＲＨの環境条件で、面積率がそれぞれ５％になった各色彩の文字画像（合計面積率２０％）を４枚間欠で１０万枚プリントした後、ハーフトーン画像をプリントし、プリントされたハーフトーン画像における縦スジ状の濃度ムラを調べた。
【００５９】
そして、上記の中抜け及び縦スジ状の濃度ムラの評価については、全く問題ないレベルを◎、僅かに確認できるが実用上問題にならないレベルを○、画像上確認することができて少し問題になるレベルを△、画像上はっきり確認できて実用に適していないレベルを×で示した。
【００６０】
【表１】
0004957593.tif 000002
【００６１】
この結果、本発明のように、除電装置を潤滑剤供給手段と均し部材との間に設けた実施例１〜９のものは、除電装置を上記の位置とは異なる位置に設けた比較例１〜４のものに比べて、中抜けや縦スジ状の濃度ムラの発生が大きく低減されて、良好な画像形成が行えた。
【００６２】
また、実施例１〜９のものを比較した場合、繊維太さが１０〜２０μｍの範囲で、繊維密度が３．０×１０8〜１．５×１０9本／ｍ2になった導電性繊維で構成されたブラシ部材を用いた実施例３，４，６〜９のものは、繊維太さや繊維密度が上記の範囲外になった導電性繊維で構成されたブラシ部材を用いた実施例１，２，５のものに比べて、中抜けや縦スジ状の濃度ムラの発生が一層低減されていた。
【００６３】
特に、オーバーコート層にシリカを含有させて表面に凹凸を形成した感光体ドラムを用いた実施例８，９のものにおいては、中抜けの発生がより一層低減されており、さらに均し部材をアースさせた実施例９のものにおいては、縦スジ状の濃度ムラの発生がより一層低減されていた。
【図面の簡単な説明】
【００６４】
【図１】本発明の一実施形態に係る画像形成装置を示した概略説明図である。
【図２】同実施形態の画像形成装置において、感光体ドラムからトナー像を転写させる位置よりも感光体ドラムの移動方向下流側の位置に、感光体ドラムの表面に残留する残留物を除去する第１クリーニング装置と、感光体ドラムの表面に潤滑剤を供給する潤滑剤供給手段と、感光体ドラムを除電させる除電装置と、感光体ドラムの表面に供給された潤滑剤を像保持部材の表面に塗布させる均し部材とを設けた状態を示した概略説明図である。
【図３】本発明の実施例及び比較例において、除電装置を設ける位置を示した概略説明図である。
【符号の説明】
【００６５】
１０  感光体ドラム（像保持部材）
１１  現像装置
１２  帯電装置
１３  露光装置
１４  ローラ
１５  中間転写体
１６  一次転写装置
１７  二次転写装置
１８  送りローラ
１９  定着装置
２０  第１クリーニング装置
２１  クリーニングブレート
３０  潤滑剤供給手段
３１  ブラシ部材
３１ａ  ローラ
３１ｂ  導電性繊維
３２  固形潤滑剤
３３  押圧手段
４０  除電装置
５０  均し部材
５１  支持部材
６０  第２クリーニング装置
６１  クリーニングブレード
Ｓ  記録媒体
【図１】
0004957593.tif 000003
【図２】
0004957593.tif 000004
【図３】
0004957593.tif 000005